(57)【要約】【課題】この発明は、両面原稿を読み取る際に画像読取装置に対して両面原稿のセット状態に自由度を持たせながら、操作パネルからは必要最小限の入力のみで、両面原稿を正確に読み取ることができる画像読取装置を提供することを目的とする。【解決手段】綴じ位置指定手段によって指定された両面原稿の綴じ位置が原稿の搬送方向に対し平行な辺である場合には、読み取られた原稿裏面の画像を回転させるようにするとともに、原稿の搬送方向に対し垂直な辺である場合には、回転させないようにする。【選択図】　　図６
2004088302.tif 000002
【特許請求の範囲】
【請求項１】
両面原稿を読み取る画像読取装置において、
前記両面原稿を画像として読み取る読取手段と、前記両面原稿を給送する原稿給送手段と、前記読取手段によって読取った画像を記憶する記憶手段と、前記記憶手段によって記憶された原稿の一方の面の画像を他方の面の画像と比較して相対的に１８０°回転させる回転手段と、前記原稿の搬送方向と綴じ位置が平行であるか垂直であるか指定する綴じ位置指定手段と、前記綴じ位置指定手段によって指定された綴じ位置が搬送方向に対し平行な辺である場合には、前記読取手段によって読み取られた原稿の一方の面の画像を前期回転手段によって回転させるように前記回転手段に命令する命令手段と、前記回転手段によって回転させられた画像を必要に応じて出力する出力手段を備えたことを特徴とする画像読取装置。
【請求項２】
前記綴じ位置指定手段によって指定された綴じ位置が搬送方向に対し直角な辺である場合には、前記読取手段によって読み取られた原稿の一方の面の画像を前期回転手段によって回転させるように命令しない命令手段であることを特徴とする請求項１に記載の画像読取装置。
【請求項３】
前記出力手段から画像を出力する出力先は画像を記録する記録手段である請求項１ないし請求項２記載の画像読取装置。
【請求項４】
前記出力手段から画像を出力する出力先は前記読取手段によって読み取られた画像を画像処理装置に転送するためのインターフェイスである請求項１ないし請求項２記載の画像読取装置。
【請求項５】
両面原稿を給送し、原稿の両面を読み取る画像読取方法において
原稿の綴じ位置が原稿の搬送方向に対し平行な辺である場合には、読み取った両面原稿の一方の面の画像を他方の面に対し相対的に１８０°回転させ、原稿の綴じ位置が原稿の搬送方向に対し垂直な辺である場合には、読み取った両面原稿の一方の面の画像を他方の面に対し回転させない画像読取方法。
【発明の詳細な説明】
【０００１】
【発明の属する技術分野】
本発明は、原稿を反転して給送することで、原稿の両面を読取可能にした画像読取装置に関する。
【０００２】
【従来の技術】
従来、両面に印字のある原稿を片面原稿として読取り、両面原稿から片面原稿の複写を得たり、または読み取った原稿を通信機器を利用して電話回線先のファクシミリ端末に送信したり、または読み取った画像をコンピュータに送って画像処理するような場合に、画像読取装置が利用される。
【０００３】
しかし原稿の一方の面を読取った後に原稿の他方の面を読み取らせる時に、原稿の搬送を一旦停止させ、搬送方向を逆にして再度原稿読取スキャナに読み取るような場合、両面原稿の綴じ位置によっては、原稿の一方の面の画像が他方の面の画像に対して正立していたり、倒立してしまう場合がある。従って一方の面を読み取る際にはこのことを考慮して読み取り、処理を行わないと使用者の期待した読取りと異なる結果となり読取の失敗が生じてしまう。
【０００４】
このように、両面原稿を読取装置で読み取る際には綴じ位置を考慮した上で、の原稿の一方の面を読み取る必要があった。
【０００５】
具体的には、画像読取装置に両面原稿をセットして読取を開始する際に、綴じ位置を所定の位置にしてセットするように限定していた。または両面原稿が画像読取装置に対してどのようにセットされているかを操作パネルから入力していた。この場合、両面原稿の綴じ位置、画像読取装置に対する両面原稿のセット状態等を入力しこの入力結果から両面原稿の一方の面をどのように処理するのかを判断し処理するようにしていた。
【０００６】
【発明が解決しようとする課題】
ところが、原稿の綴じ位置を画像読取装置に対して所定の位置にセットすることで原稿の両面の画像の方向を一致するように読み取る装置の場合、使用者がそれを知らずにセットしたり、勘違いしてセットして原稿の両面の画像の方向が一致しないといった問題があった。また、原稿が読取装置に対してどのようにセットされているかを操作パネルから設定することで原稿の両面の画像の方向を一致するように読み取る装置の場合、両面原稿の綴じ位置や、画像読取装置に対する両面原稿のセット状態の入力等の複数の条件を設定をして、その複数の条件からどのような処理をするのかを判断する必要があったため、設定そのものがわずらわしかったり、入力ミスが起こりやすく正常に読みとれないといった問題があると同時に、処理に時間がかかり装置に負担となるという問題があった。
【０００７】
本発明は上述した事情に鑑み、原稿の両面を読み取る際に、画像読取装置に対して両面原稿のセット状態に自由度を持たせながら、操作パネルからは必要最小限の入力のみで、両面原稿を正確に読み取ることができる原稿読取装置および画像形成方法を提供することを目的とする。
【０００８】
【課題を解決するための手段】
本発明は上記目的を達成するためになされたもので、本発明は、両面原稿を読み取る画像読取装置において、前記両面原稿を画像として読み取る読取手段と、前記両面原稿を給送する原稿給送手段と、前記読取手段によって読取った画像を記憶する記憶手段と、前記記憶手段によって記憶された原稿の一方の面の画像を他方の面の画像と比較して相対的に１８０°回転させる回転手段と、前記原稿の搬送方向と綴じ位置が平行であるか垂直であるか指定する綴じ位置指定手段と、前記綴じ位置指定手段によって指定された綴じ位置が搬送方向に対し平行な辺である場合には、前記読取手段によって読み取られた原稿の一方の面の画像を前期回転手段によって回転させるように前記回転手段に命令する命令手段と、前記回転手段によって回転させられた画像を必要に応じて出力する出力手段を備えたものである。
【０００９】
このように構成した本発明は、原稿の搬送方向に対する原稿の綴じ位置を指定する綴じ位置指定手段を設け、使用者はこの綴じ位置指定手段に綴じ位置が搬送方向と平行であるか垂直であるかを指定する。
【００１０】
そして、画像の読取を開始すると、原稿給送手段によって両面原稿は給送され原稿の両面が画像として読みとられる。この時に、綴じ位置指定手段によって指定された綴じ位置が搬送方向に対し平行な辺である場合には、読み取られた原稿の一方の面の画像を前期回転手段によって回転させることができるという作用を有するものである。
【００１１】
【発明の実施の形態】
以下、本発明の実施の形態を図面を参照して説明する。本実施例の画像読取装置はファクシミリ装置に適用される。
【００１２】
図１は、本実施の形態にかかるファクシミリシステムの構成を示す説明図である。画像読取装置上部には原稿を読み取るための原稿読取ユニット５０が配置されている。この原稿読取ユニット５０は、原稿を支持する原稿給紙部１や原稿給紙部から一枚づつ給紙して原稿を原稿読取スキャナ１０に搬送する搬送ローラ２，３，読み取った原稿を排出する搬送ローラ８、９、原稿排紙部３０によって構成されている。また図示していないが、搬送路途中の各所に搬送方向切り替え部が設けてあり、必要に応じて搬送方向を切り替えるように制御されている。
【００１３】
また、原稿読取ユニット５０には、現行の用紙幅を検出する用紙幅センサ２９と原稿の長さを検出する用紙長センサ２８が設けられており、原稿読取スキャナ１０に搬送される用紙のサイズを自動的に読取り判別することが可能となっている。用紙幅センサとしては、光透過型センサや光反射型センサなどが多く採用され、この用紙幅センサが各種用紙サイズに対応する位置に複数配置され用紙幅が検出されるように構成されている。また用紙長センサとしては、機械式のセンサが多く採用されていて、用紙の先端を検出してから用紙後端を検出するまでの時間と搬送速度から用紙の長さを算出することが可能に構成されている。この用紙長センサ２８は用紙ジャムセンサも兼ねることが可能となっていて、画像読取装置が処理することが可能な用紙における最大用紙長に相当する搬送時間以上に用紙があることが検出された場合には、用紙ジャムが発生していると判断してその旨を操作者に知らせることが可能となっている。
【００１４】
前記原稿読取ユニット５０は、回動軸４０を中心にして回動自在に形成されている。前記原稿読取ユニット５０をこの回動軸４０を中心に開放することでその下部にある原稿台４１に一枚毎に原稿を載置し、原稿読取スキャナ１０によって原稿を読み取らせることが可能になっている。この原稿台４１には、図示していないが用紙幅センサ２９と用紙長センサ２８と同様の機能を有するセンサが少なくとも２つ配置されていて、原稿台に載置された原稿の用紙サイズを自動的に検出することが可能となっている。原稿台に載置された原稿を読み取る際には、原稿読取スキャナ１０は、例えば図１において左から右に走査されることにより原稿台４１に載置された原稿を読み取るようになっている。この時に自動的に検出された原稿サイズから原稿読取スキャナの走査量を算出して不必要な読取エリアまで原稿読取スキャナが読取動作をすること防止することによって読取処理を速く行うことも可能である。
【００１５】
画像読取装置下部には、給紙カセット３３，３４が配置され、それぞれ給紙ローラ１３，１４によって給紙され搬送経路２５，２６に設けられている搬送ローラ１５，１６，１７，１８、３１，３２によって装置中央部に搬送される。これらの給紙カセットから給紙・搬送された記録用紙上に装置中央部に配置されている画像形成ユニット１２によって画像が記録される。この実施例のように給紙カセット３３，３４と複数の給紙カセットを配置することにより、複数種類の記録用紙が収納可能となりいろいろなサイズの記録用紙に記録する際に、操作者が用紙を交換する手間を省略することが可能となり、ひいては記録時間の短縮が可能となるようになっている。また同じサイズの記録用紙に大量に画像記録を実行するような場合には、両方の給紙カセットに同じサイズの用紙を収納しておくことにより、用紙の補給を必要とせずに大量の画像記録も可能である。
【００１６】
実施例については、この給紙カセットは２段であるが、さらに給紙カセットを増設することによってさらに使用する際の利便性が向上することが明らかであり、給紙カセットは２段に限定するものではない。
【００１７】
画像読取装置中央部には、給紙カセット３３，３４から搬送されてきた記録用紙に画像を記録するための画像記録ユニット１２が配置されている。この実施例では、画像記録ユニット１２は電子写真方式を採用している。電子写真方式を採用する画像記録ユニット１２には、感光体ドラム５１、図示していないが現像器、帯電器、転写器、光学器、等から構成されていて記録用紙上に画像を形成するように構成されている。
【００１８】
記録用紙上に画像が形成される手順は以下の通りである。
【００１９】
感光体ドラム上を帯電器によって均一に帯電される。この後に、読み取られた画像情報に従って光学器が帯電されたドラム上を部分的に露光する。この部分的に露光され部分にのみに現像器によって供給されるトナーが感光体上に移りトナー画像が形成される。このトナー画像は転写器によって記録用紙に転写される。
【００２０】
画像読取装置中央部の画像記録ユニット１２の用紙搬送方向下流にはさらに定着ユニット３５、搬送ローラ２１，２２、２３，２４が配置されている。この定着ユニット３５は画像記録ユニット１２で記録用紙に転写されたトナー画像を熱によって溶解し記録用紙の繊維にしみこませることで永久画像として記録用紙上に固着させるためのものである。このために定着ユニットには定着ローラ１９、プレスローラ２０、図示されていないヒータ管、温度検出器、剥離爪等が設けられている。この定着ローラ１９は熱伝導性のよいアルミの中空のローラが一般的に多く採用されていて、このローラ中に配設されているヒータ管によって加熱されトナーを溶かすことの可能な温度になるように制御されている。この温度制御にはヒータ管に近接して配置してある温度検出器によって定着ローラの温度が検出されこの検出器による信号を元にヒータ管への供給電力をオンオフすることによって所定の温度に保つようになっている。
【００２１】
この定着ローラによってトナーが溶解されるのと同時に、定着ローラに圧接して回転可能な状態になっているプレスローラ２０が溶解したトナーを記録用紙内にしみこませることによってトナー画像が永久画像として記録用紙に固着される。図示していないが剥離爪は定着ローラに弾性体によって接触するように配置されていて、記録用紙が定着ローラから剥がれずに巻き込まれてジャムが発生しないように定着後の記録用紙を定着ローラ１９から剥がす働きをしている。
【００２２】
定着ユニット３５の用紙搬送方向下流には、搬送ローラ２１，２２、２３，２４が配置されていて、定着された記録用紙を装置外の用紙トレイ３６に排出する。また定着ユニット３５の用紙搬送方向下流には用紙センサが配置されていて設定時間以上に用紙の有りを検出すると、用紙ジャムが発生していると判断して定着ユニット３５への電気の供給を停止するようになっている。
【００２３】
画像読取装置中央部には、さらに制御部４２が配置されていて、画像読取装置の種々の制御やデータの処理を行っている。この中には電話回線と接続するためのモデムやこのモデムの制御を行う通信制御部や画像読取ユニットで読み取った画像を処理する画像処理部、処理した画像を記憶する画像記憶部、外部機器との接続を行う外部インターフェイス部等が設けられている。
【００２４】
また装置外部には、操作者が画像読取装置を操作するための操作パネル１１が設けてあり、各種設定や操作が可能となっている。この操作パネル１１には少なくとも１つ以上の操作ボタンや液晶ディスプレイ、ＬＥＤ、スピーカ等が設けてあり装置の状態や各種設定について確認ができるようになっていて、装置に用紙ジャムなどの異常が発生した場合には、ＬＥＤやスピーカによって異常の発生を報知することが可能になっている。この操作パネルを使用して両面原稿を読み取って片面原稿にするといった指示も行われる。この操作パネルによる指示、命令は制御部４２で判別され、指示に従った処理の各ステップが実行される。
【００２５】
図２は画像読取装置の電気的構成を示すブロック図である。画像読取部１００は原稿読取ユニットによって一枚毎に搬送される原稿や、原稿台に載置された原稿を原稿読取スキャナを走査することによって原稿データを読取り画像データに変換する。画像記録部１１０は画像読取部１００によって読み取った画像データを記録用紙上に可視像として記録するものである。画像記憶部１２０は画像読取部１００で読み取られた画像データ、外部機器から外部インターフェイス部１７０を経て受け取られた画像データ、通信制御部から電話回線を経て遠隔地のファクシミリ装置と送受信される画像データを記憶するものである。操作部１４０および表示部１５０は操作者に装置の状態や設定情報を表示すると共に操作者からの入力を受け付け、装置の各種設定を変更することが可能になっている。通信制御部１６０は操作部１４０から入力された電話番号に従って電話回線上でのファクシミリ送信の制御をしたり、電話回線からの発呼に応じて、送信されてくるファクシミリ信号を受信するように制御する。外部インターフェイス部１７０はパーソナルコンピュータといった外部機器と接続し、外部機器からの命令やデータを受信したり、また外部機器へ命令に対する応答やデータ送信をするための通信を制御する。そしてこれら各部を主演算処理部２００が総括的に制御する。
【００２６】
また通信制御部１６０内には、パーソナルコンピュータから送られてくるデジタルデータを音声信号に変換して電話回線に流したり、電話回線を通じて聞こえてくる音声信号をデジタルデータに変換したりするためのモデム１８０が配置されていて、公衆通信網へコンピュータを接続するために、通信相手を呼び出すためにダイヤル信号を送出するＮＣＵ（ネットワークコントロールユニット）１９０を経由して電話回線を通じてデータの送受信のために機能するようになっている。
【００２７】
図３は、原稿読取ユニットによる原稿の片面のみを読み取る時の搬送の状態を表した説明図である。既に図１で説明したように、原稿給紙部から給紙して搬送するための搬送ローラ２００，２０１と、原稿読取スキャナ２０４に搬送されてくる原稿を密着させつつ搬送可能になっている搬送ローラ２０２と原稿の両面を読み取る際に使用され必要に応じて正転逆転可能に制御されている搬送ローラ２０３、２２１と、搬送方向切り替え部２１０と、搬送路２２０、２２４が原稿読取ユニットを構成している。
【００２８】
次に、原稿の片面のみを読み取る時の搬送の状態を説明する。まず搬送ローラ２００、２０１によって原稿給紙部に積載された原稿が一枚ずつ搬送されてくる。そして搬送経路途中にある搬送ローラ２０２によって押しつけられ搬送されている原稿が原稿読取スキャナ２０４によって画像データとして読み取られる。原稿の片面のみの読取の場合には、搬送方向切り替え部２１０は搬送路２２０から搬送路２２１が有効になるように切り替えられていて搬送されてきた原稿を原稿排出部３０へ誘導する。
【００２９】
図４は、原稿読取ユニットによる原稿の両面を読み取る時の搬送の状態を表した説明図である。ａの状態からｂの状態になりｃの状態となって両面の読取が行われる。搬送ローラ２５０，２５１、原稿読取スキャナ２５４に搬送されてくる両面原稿を密着させつつ搬送可能になっている搬送ローラ２５２と両面原稿の両面を読み取る際に使用され必要に応じて正転逆転可能に制御されている搬送ローラ２５３と、搬送方向切り替え部２６０、と、搬送路２７０、２７４の構成は図３と同様である。
【００３０】
図４を参照して両面原稿の両面を読み取る時の搬送の状態を説明する。両面原稿の片面を読取る時と同じように搬送ローラ２５０、２５１によって原稿給紙部に積載された両面原稿が一枚ずつ搬送されてくる。そして搬送途中にある搬送ローラ２５２によって原稿読取スキャナ２５４に押しつけられ搬送されている両面原稿が画像データとして読み取られながら搬送される。搬送方向切り替え部２６０は搬送路２７０から搬送路２７１が有効になるように切り替えられていて原稿読取スキャナを通過した両面原稿は搬送路２７１を搬送される。そのまま搬送され両面原稿の後端が搬送ローラ２５３と搬送ローラ２５５に挟持されると搬送が一旦停止され、搬送ローラ２５３と搬送ローラ２５５は回転が逆転となる。逆転時には搬送切り替え部２６０は搬送路２７４が有効になるように切り替えられていて逆転した搬送ローラに搬送され両面原稿は搬送路２７４を搬送される。そして両面原稿は再び原稿読取スキャナによって画像データを読み取られる。この時は、最初に読み取られた原稿面とは反対となる面が読み取られる。この時、原稿表面の原稿読取スキャナにより読み取り時と原稿裏面の読み取り時では、搬送方向における両面原稿の向きが１８０回転している状態になっている。従って両面原稿の綴じ位置と搬送方向とが平行が直角であるかによって原稿裏面の読み取り画像データの処理を変更する必要がある。
【００３１】
原稿裏面を読み取ると、搬送方向切り替え部２６０は搬送路２７０から搬送路２７１が有効な状態になり、両面原稿は搬送路２７１を搬送され両面原稿は原稿排出部に排出され１ページの両面の読取が終了する。
【００３２】
原稿給紙部に複数の両面原稿が載置されていれば、引き続き次ページの両面原稿の読み取りが行われる。
【００３３】
図５は両面原稿の綴じ位置と搬送方向による画像読取スキャナ読み取られる原稿データの状態を表した説明図である。図５において両面原稿の搬送方向は一律に下から上としている。用紙中の文字は各々の両面原稿において文字方向を表している。また原稿端部の円弧は綴じ位置を表している。ａからｄの各状態において、左側の用紙が読み取られた表面の原稿データを表し、右側の用紙が読み取られた裏面の原稿データを表している。
【００３４】
図５のａの状態から説明する。ａは両面原稿の長辺に綴じ位置があるとともにこの長辺が搬送方向と垂直な位置にある場合の搬送状態を表している。この場合原稿表面の読取り画像データは左のイメージのようになり、原稿裏面の読取り画像データは右のイメージのようになる。よって原稿裏面の画像データは回転処理する必要はない状態で両面原稿の両面の読取が可能である。
【００３５】
次にｂの状態を説明する。ｂは両面原稿の短辺に綴じ位置があるとともにこの短辺が搬送方向と垂直な位置にある場合の搬送状態を表している。この場合原稿表面の読取り画像データは左のイメージのようになり、原稿裏面の読取り画像データは右のイメージのようになる。よってａの状態と同じように原稿裏面の画像データは回転処理する必要はない状態で両面原稿の両面の読取が可能である。
【００３６】
ｃの状態は両面原稿の短辺に綴じ位置があるとともにこの短辺が搬送方向と平行な位置にある場合の搬送状態を表している。この場合、原稿表面の読取り画像データは左のイメージのようになる一方で原稿裏面の読取画像データは右のイメージのようになる。この場合、左のイメージと同じイメージの方向にするには裏面のイメージを１８０°回転する必要がある。
【００３７】
ｄの状態は両面原稿の長辺に綴じ位置があるとともにこの長辺が搬送方向と平行な位置にある場合の搬送状態を表している。この場合、原稿表面の読取り画像データは左のイメージのようになる一方で原稿裏面の読取画像データは右のイメージのようになる。この場合、ｃの状態と同じように、左のイメージと同じイメージの方向にするには裏面のイメージを１８０°回転する必要がある。
【００３８】
これらのことから、両面原稿の搬送方向と綴じ位置とが平行であるか垂直であるかを特定することで原稿読取ユニットで読み取った両面原稿の一方の面の画像データの処理について相対的に１８０°回転させるかもしくはその必要がないかを的確に判断することができる。
【００３９】
実際には、図５のｃの状態のように両面原稿の綴じ位置が短辺にある場合であって、短辺が原稿の搬送方向と平行である場合には、原稿読取ユニットによる原稿裏面の画像を１８０°回転させる必要がある。また図５のｄの状態のように両面原稿の綴じ位置が長辺にある場合であって、長辺が原稿の搬送方向と平行である場合にもｃの状態と同様に原稿読取ユニットによる原稿裏面の画像を１８０°回転させる必要がある。これらの処理において、綴じ位置が長辺側にあるか短辺側にあるかは問題にならず、あくまでも綴じ位置と原稿の搬送方向の関係が重要になってくる。このように処理することによって読み取った両面原稿の画像の表と裏の方向を一致させることができる。
【００４０】
一方、図５のａの状態のように、両面原稿の長辺に綴じ位置があるとともに長辺が原稿の搬送方向と垂直である場合や、図５のｂの状態のように、両面原稿の短辺に綴じ位置があるとともに短辺が原稿の搬送方向と垂直である場合においては読み取った原稿裏面の画像を回転させる必要はない。これらの処理においても、前述していることと同じように綴じ位置が長辺側にあるか短辺側にあるかは問題にならず、綴じ位置と原稿の搬送方向の関係が重要になってくる。
【００４１】
これらのことをまとめると、指定される両面原稿の綴じ位置が、原稿の搬送方向と平行にある場合には、原稿読取ユニットによる原稿の一方の面の画像を１８０°回転させるように制御することにより、両面原稿の画像の表と裏の方向を一致させることができる。
【００４２】
逆に、指定される両面原稿の綴じ位置が、原稿の搬送方向と垂直にある場合には、原稿読取ユニットによる原稿の一方の面の画像は回転させる必要はない。
【００４３】
図６は、原稿読取処理ルーチンを示すフローチャートである。画像読取装置ではまず、操作パネルから両面読み込みモードの開始を指示する。次に同じく操作パネルから両面原稿の綴じ位置が原稿搬送方向と平行であるか垂直であるかを入力する（ステップＳ１００）。両面原稿の表面の読み込みと読み込んだ表面画像を画像記憶ユニットに転送する（ステップＳ１０２）。両面原稿の表面が原稿読取ユニットによって読み取られた後、両面原稿を反転させて今度は両面原稿の裏面を原稿読取ユニットによって読み取らせる（ステップＳ１０４）。両面原稿の裏面の読み取りが終わると、ステップＳ１００で指定された綴じ位置が原稿の搬送方向と平行であるか垂直であるかを確認する（ステップＳ１０６）。この時綴じ位置が原稿の搬送方向と平行であればステップＳ１０８に進み、綴じ位置が原稿の搬送方向と垂直であればステップＳ１１０に処理が進む。ステップＳ１０８ではステップＳ１０４で読み取られている原稿裏面の画像を１８０°回転させて画像記憶ユニットに転送する。ステップＳ１０６でステップＳ１１０に進んだ処理は、ステップＳ１０４で読み取られている原稿裏面の画像を回転させることなく画像記憶ユニットに転送する。このようにして両面読み込みモードの処理が終了する。
【００４４】
以上説明したように、本実施例の画像読取装置によれば、両面に印字のなされている両面原稿を片面の原稿に読み取るモードを選択した場合、綴じ位置が原稿の搬送方向と平行か垂直かを指定するのみで、両面原稿の搬送方向や綴じ位置に関わらず、画像方向が統一された片面原稿を読み取ることが可能となる。
【００４５】
つまり、両面原稿から片面原稿を複写を得たり、または読み取った両面原稿を通信機器を利用して電話回線先のファクシミリ端末に送信したり、または読み取った画像をコンピュータに送って画像処理するような場合に、操作者は両面原稿の綴じ位置が両面原稿の搬送方向に対して平行か垂直かを指示するのみでよく、読み取りユニットに対して両面原稿をどのような方向にセットしても画像方向が統一された画像を得ることが可能となる。
【００４６】
【発明の効果】
本発明の請求項１に関わる画像読取装置によれば、綴じ位置指定手段によって前記原稿の綴じ位置が原稿の搬送方向と平行であるか垂直であるかを指定して、綴じ位置が原稿の搬送方向と平行である場合には、前記読取手段によって読み取られた原稿の一方の面の画像を回転させ、綴じ位置が原稿の搬送方向と平行である場合には、前記読取手段によって読み取られた原稿の一方の面の画像を回転するようにしたので、綴じ位置を指定するのみで両面原稿から画像方向が統一された片面原稿を得ることができる。
【００４７】
請求項２記載に関わる画像読取装置によれば、出力手段から画像を出力する出力先は画像を電話回線を介して外部受信装置に送信する画像通信手段である画像読取装置であるので、電話回線を使って離れた場所のファクシミリ装置に両面原稿の画像を送信できる。
【００４８】
請求項３記載に関わる画像読取装置によれば、出力手段から画像を出力する出力先は画像を記録する記録手段である画像読取装置であるので、両面原稿の画像を記憶することができる。
【００４９】
請求項４記載に関わる画像読取装置によれば、出力手段から画像を出力する出力先は前記読取手段によって読み取られた画像を画像処理装置に転送するためのインターフェイスである画像読取装置であるので、外部機器に両面原稿の画像を転送して読み取った画像を処理することができる。
【００５０】
請求項５記載に関わる画像読取方法によれば、原稿の綴じ位置が原稿の搬送方向に対し並行な辺であるか垂直な辺であるかに応じて、読み取った両面原稿の一方の面の画像を回転させる必要があるか否かを的確に判断することが可能であるので、両面原稿から画像方向が統一された片面原稿を得ることができる。
【図面の簡単な説明】
【図１】本発明に係るファクシミリ装置を示す図。
【図２】本発明に係るファクシミリ装置の一実施例を示すブロック図。
【図３】本発明に係るファクシミリ装置の片面原稿の通常の搬送状態を表した説明図。
【図４】本発明に係るファクシミリ装置の両面原稿を片面原稿として読み取る時の搬送状態を表した説明図。
【図５】両面原稿の種類と搬送方向による原稿裏面の読取後の処理の検討図。
【図６】本発明に係る両面読取モードの処理のフローチャート図。
【符号の説明】
１　　　　　　　　原稿給紙部
１１　　　　　　　操作パネル
１２　　　　　　　画像形成ユニット
２０２　　　　　　搬送ローラ
２０４　　　　　　原稿読取スキャナ
ステップ１００　　（画像記憶ユニット）
ステップ１０２　　（画像処理部）
ステップ１０４　　（画像読取部）
ステップ１０６　　（画像処理部）
ステップ１０８　　（画像処理部）
ステップ１１０　　（画像処理部）
【図１】
2004088302.tif 000003
【図２】
2004088302.tif 000004
【図３】
2004088302.tif 000005
【図４】
2004088302.tif 000006
【図５】
2004088302.tif 000007
【図６】
2004088302.tif 000008